【手続補正書】
【提出日】平成18年12月25日(2006.12.25)
【手続補正１】
【補正対象書類名】明細書
【補正対象項目名】発明の名称
【補正方法】変更
【補正の内容】
【発明の名称】配信システム、配信装置及び配信方法
【手続補正２】
【補正対象書類名】明細書
【補正対象項目名】特許請求の範囲
【補正方法】変更
【補正の内容】
【特許請求の範囲】
【請求項１】
配信対象の音楽コンテンツから生成された音楽配信データと、上記音楽コンテンツに関連する印刷可能な写真画像から生成された音楽サービスデータとを配信する配信装置と、
上記配信装置により配信された上記音楽配信データ及び上記音楽サービスデータを受信し、当該受信した上記音楽配信データ及び上記音楽サービスデータを記録媒体に記録するデータ記録装置と、
上記データ記録装置により上記音楽配信データ及び上記音楽サービスデータが記録された上記記録媒体から当該音楽配信データを読み出して上記音楽コンテンツを再生すると共に、上記記録媒体から上記音楽サービスデータを読み出して上記写真画像を表示する携帯型音楽再生装置と
を具えることを特徴とする配信システム。
【請求項２】
上記配信装置は、印刷可能な上記写真画像としての、上記音楽コンテンツのタイトルと当該タイトルに応じた画像とから生成された上記音楽サービスデータを配信する
ことを特徴とする請求項１に記載の配信システム。
【請求項３】
上記配信装置は、上記音楽配信データにカテゴリーコードを付加して配信する
ことを特徴とする請求項２に記載の配信システム。
【請求項４】
上記配信装置は、印刷可能な上記写真画像としてのラベル印刷可能な、上記音楽コンテンツのタイトルと当該タイトルに応じた画像とから生成された上記音楽サービスデータを配信する
ことを特徴とする請求項１に記載の配信システム。
【請求項５】
上記配信装置は、上記音楽配信データにカテゴリーコードを付加して配信する
ことを特徴とする請求項４に記載の配信システム。
【請求項６】
上記配信装置は、印刷可能な上記写真画像としての、上記音楽コンテンツのアルバムジャケットの写真画像から生成された上記音楽サービスデータを配信する
ことを特徴とする請求項１に記載の配信システム。
【請求項７】
配信対象の音楽コンテンツから生成された音楽配信データと、上記音楽コンテンツに関連する印刷可能な写真画像としての、当該音楽コンテンツのタイトルと当該タイトルに応じた画像とから生成された音楽サービスデータとを配信する配信装置と、
上記配信装置により配信された上記音楽配信データ及び上記音楽サービスデータを受信し、当該受信した上記音楽配信データ及び上記音楽サービスデータを記録媒体に記録するデータ記録装置と、
上記データ記録装置により上記音楽配信データ及び上記音楽サービスデータが記録された上記記録媒体から当該音楽配信データを読み出して上記音楽コンテンツを再生すると共に、上記記録媒体から上記音楽サービスデータを読み出して上記タイトルと当該タイトルに応じた上記画像とを並べて表示する携帯型音楽再生装置と
を具えることを特徴とする配信システム。
【請求項８】
上記配信装置は、上記音楽配信データにカテゴリーコードを付加して配信する
ことを特徴とする請求項７に記載の配信システム。
【請求項９】
上記配信装置は、印刷可能な上記写真画像としての、上記音楽コンテンツのアルバムジャケットの写真画像から生成された上記音楽サービスデータを配信する
ことを特徴とする請求項８に記載の配信システム。
【請求項１０】
配信対象の音楽コンテンツから生成された音楽配信データと、上記音楽コンテンツに関連する印刷可能な写真画像から生成された音楽サービスデータとを格納するサーバと、
上記サーバから上記音楽配信データ及び上記音楽サービスデータを読み出して配信する配信部と
を具えることを特徴とする配信装置。
【請求項１１】
上記サーバは、印刷可能な上記写真画像としての、上記音楽コンテンツのタイトルと当該タイトルに応じた画像とから生成された上記音楽サービスデータを格納する
ことを特徴とする請求項１０に記載の配信装置。
【請求項１２】
上記配信部は、上記音楽配信データにカテゴリーコードを付加して配信する
ことを特徴とする請求項１１に記載の配信装置。
【請求項１３】
上記サーバは、印刷可能な上記写真画像としてのラベル印刷可能な、上記音楽コンテンツのタイトルと当該タイトルに応じた画像とから生成された上記音楽サービスデータを格納する
ことを特徴とする請求項１０に記載の配信装置。
【請求項１４】
上記配信部は、上記音楽配信データにカテゴリーコードを付加して配信する
ことを特徴とする請求項１３に記載の配信装置。
【請求項１５】
上記サーバは、印刷可能な上記写真画像としての、上記音楽コンテンツのアルバムジャケットの写真画像から生成された上記音楽サービスデータを格納する
ことを特徴とする請求項１０に記載の配信装置。
【請求項１６】
配信対象の音楽コンテンツから生成された音楽配信データと、上記音楽コンテンツに関連する印刷可能な写真画像としての、当該音楽コンテンツのタイトルと当該タイトルに応じた画像とから生成された音楽サービスデータとを格納するサーバと、
上記サーバから上記音楽配信データ及び上記音楽サービスデータを読み出して配信する配信部と
を具えることを特徴とする配信装置。
【請求項１７】
上記配信部は、上記音楽配信データにカテゴリーコードを付加して配信する
ことを特徴とする請求項１６に記載の配信装置。
【請求項１８】
上記サーバは、印刷可能な上記写真画像としての、上記音楽コンテンツのアルバムジャケットの写真画像から生成された上記音楽サービスデータを格納する
ことを特徴とする請求項１７に記載の配信装置。
【請求項１９】
配信対象の音楽コンテンツから生成された音楽配信データと、上記音楽コンテンツに関連する印刷可能な写真画像から生成された音楽サービスデータとをサーバに格納する格納ステップと、
配信部により上記サーバから上記音楽配信データ及び上記音楽サービスデータを読み出して配信する配信ステップと
を具えることを特徴とする配信方法。
【請求項２０】
上記格納ステップは、印刷可能な上記写真画像としての、上記音楽コンテンツのタイトルと当該タイトルに応じた画像とから生成された上記音楽サービスデータを上記サーバに格納する
ことを特徴とする請求項１９に記載の配信方法。
【請求項２１】
上記配信ステップは、上記配信部により、上記音楽配信データにカテゴリーコードを付加して配信する
ことを特徴とする請求項２０に記載の配信方法。
【請求項２２】
上記格納ステップは、印刷可能な上記写真画像としてのラベル印刷可能な、上記音楽コンテンツのタイトルと当該タイトルに応じた画像とから生成された上記音楽サービスデータを上記サーバに格納する
ことを特徴とする請求項１９に記載の配信方法。
【請求項２３】
上記配信ステップは、上記配信部により、上記音楽配信データにカテゴリーコードを付加して配信する
ことを特徴とする請求項２２に記載の配信方法。
【請求項２４】
上記格納ステップは、印刷可能な上記写真画像としての、上記音楽コンテンツのアルバムジャケットの写真画像から生成された上記音楽サービスデータを上記サーバに格納する
ことを特徴とする請求項１９に記載の配信方法。
【請求項２５】
配信対象の音楽コンテンツから生成された音楽配信データと、上記音楽コンテンツに関連する印刷可能な写真画像としての、当該音楽コンテンツのタイトルと当該タイトルに応じた画像とから生成された音楽サービスデータとをサーバに格納する格納ステップと、
配信部により上記サーバから上記音楽配信データ及び上記音楽サービスデータを読み出して配信する配信ステップと
を具えることを特徴とする配信方法。
【請求項２６】
上記配信ステップは、上記配信部により、上記音楽配信データにカテゴリーコードを付加して配信する
ことを特徴とする請求項２５に記載の配信方法。
【請求項２７】
上記格納ステップは、印刷可能な上記写真画像としての、上記音楽コンテンツのアルバムジャケットの写真画像から生成された上記音楽サービスデータを上記サーバに格納する
ことを特徴とする請求項２６に記載の配信方法。
【手続補正３】
【補正対象書類名】明細書
【補正対象項目名】０００１
【補正方法】変更
【補正の内容】
【０００１】
【発明の属する技術分野】
本発明は配信システム、配信装置及び配信方法に関し、例えばスチルカメラを用いて被写体を撮影することにより写真フィルムに露出形成された写真画像を遠方に送付したり、電子カメラを用いて被写体を撮影して得られた画像データを遠方に送付したりする写真画像商取引システムに適用して好適なものである。
【手続補正４】
【補正対象書類名】明細書
【補正対象項目名】０００２
【補正方法】変更
【補正の内容】
【０００２】
【従来の技術】
従来、写真フィルムに露出形成された写真画像は、印画紙に焼付られて生成されたプリント写真等の印刷物として取り扱われている。
【手続補正５】
【補正対象書類名】明細書
【補正対象項目名】０００３
【補正方法】変更
【補正の内容】
【０００３】
【発明が解決しようとする課題】
ところで配信対象の音楽コンテンツに関係するアルバムジャケット等の写真画像についても、印刷物として取り扱われている。このため配信対象の音楽コンテンツに関係する写真画像については、わざわざ書店やレコード店等の店舗に出向いて購入しなければならず、容易には楽しませ難いという問題があった。
【手続補正６】
【補正対象書類名】明細書
【補正対象項目名】０００４
【補正方法】削除
【補正の内容】
【手続補正７】
【補正対象書類名】明細書
【補正対象項目名】０００５
【補正方法】削除
【補正の内容】
【手続補正８】
【補正対象書類名】明細書
【補正対象項目名】０００６
【補正方法】変更
【補正の内容】
【０００６】
本発明は以上の点を考慮してなされたもので、配信対象の音楽コンテンツと共に当該音楽コンテンツに関係する写真画像を容易に楽しませることができる配信システム、配信装置及び配信方法を提案しようとするものである。
【手続補正９】
【補正対象書類名】明細書
【補正対象項目名】０００７
【補正方法】変更
【補正の内容】
【０００７】
【課題を解決するための手段】
かかる課題を解決するため本発明においては、配信装置により配信対象の音楽コンテンツから生成された音楽配信データと、音楽コンテンツに関連する印刷可能な写真画像から生成された音楽サービスデータとを配信し、データ記録装置により当該配信装置によって配信された音楽配信データ及び音楽サービスデータを受信し、当該受信した音楽配信データ及び音楽サービスデータを記録媒体に記録し、携帯型音楽再生装置により当該データ記録装置によって音楽配信データ及び音楽サービスデータが記録された記録媒体から当該音楽配信データを読み出して音楽コンテンツを再生すると共に、記録媒体から音楽サービスデータを読み出して写真画像を表示するようにした。
【手続補正１０】
【補正対象書類名】明細書
【補正対象項目名】０００８
【補正方法】変更
【補正の内容】
【０００８】
従って、配信システムでは、音楽コンテンツを再生しながら当該音楽コンテンツに関連する写真画像を表示して見せることができる。
【手続補正１１】
【補正対象書類名】明細書
【補正対象項目名】００２４
【補正方法】変更
【補正の内容】
【００２４】
ここで、図６（Ａ）に示すように、ユーザ（カメラ）使用領域６には、磁気データとしてシンクデータ１２Ａ、実データ１２Ｂ及び当該実データ１２Ｂに対する誤り検出用のパリティデータ１２Ｃが順次格納されて構成されている。
【手続補正１２】
【補正対象書類名】明細書
【補正対象項目名】００４３
【補正方法】変更
【補正の内容】
【００４３】
また、ＡＰＳカメラ１５においては、ＡＰＳフィルム１のユーザ（カメラ）使用領域６（図４）の他面側を磁気ヘッド３５に対向させると共に、ラボ使用領域７（図４）をフィルム位置検出用光源３１及び光電検出器３３間と、フィルム予測用光源３２及び光電検出器３４間とに順次通すようになされている。
【手続補正１３】
【補正対象書類名】明細書
【補正対象項目名】００４８
【補正方法】変更
【補正の内容】
【００４８】
また、ＡＰＳカメラ１５においては、このようにシャッタレリーズボタン１８が押下されると、ユーザ（カメラ）使用領域６に磁気ヘッド３５を介してユーザデータを磁気的に記録しながら再びＡＰＳフィルム１をフィルム巻取スプロール２８に巻き取り、かくして、フィルム予測用光源３２及び光電検出器３４と、フィルム位置検出用光源３１及び光電検出器３３とによりフィルム位置予測孔（角孔）８及びフィルム位置決め孔（角孔）９を順次検出するようにして新たな未露出の露出領域１１のほぼ中央を露出用開口部２１のほぼ中央に位置させてＡＰＳフィルム１を位置決めする。
【手続補正１４】
【補正対象書類名】明細書
【補正対象項目名】００７７
【補正方法】変更
【補正の内容】
【００７７】
そして、台座部１０５Ｂにおいては、ＡＰＳネガフィルム１Ａの露出領域１１をフィルムガイド１２４及び１２５の開口部に対して位置決めした状態において、ランプ１２２から得られる光線を拡散フィルタ１２３を通して拡散させることにより露出領域１１の全面に渡って照射し、当該露出領域１１を透過して得られる写真画像光をウィンドウ１１１を通して上部ボディ１０６の電荷結合デバイスの受光面に受光させる。
【手続補正１５】
【補正対象書類名】明細書
【補正対象項目名】００９３
【補正方法】変更
【補正の内容】
【００９３】
このようにして、システムコントローラ１４０は、ＡＰＳネガフィルム１Ａの露出領域１１をフィルムガイド１２４及び１２５の開口部に対して位置決めする毎に、対応するユーザデータに基づいて、写真画像の撮影条件を再現するようにズームレンズ１５２、フォーカスレンズ１５４及び絞り１５６を調整することができ、この状態において、電源回路１５７からランプ駆動回路１５８に電源電圧を給電して駆動制御することにより、当該ランプ駆動回路１５８を介してランプ１２２を点灯させる。
【手続補正１６】
【補正対象書類名】明細書
【補正対象項目名】０１０１
【補正方法】変更
【補正の内容】
【０１０１】
実際に、システムコントローラ１４０は、リモートコントローラ１６２からＡＰＳネガフィルム１Ａの送り移動命令に応じた光電信号が発射されると、当該光電信号を受光素子１６３を介して取り込み、その送り移動命令に基づいて、フィルム駆動回路１４１を介してフィルム駆動モータ１４２を駆動制御することにより、ＡＰＳネガフィルム１Ａの各露出領域１１のうちの指定されたフレーム番号の露出領域１１をフィルムガイド１２４及び１２５の開口部に対して位置決めする。
【手続補正１７】
【補正対象書類名】明細書
【補正対象項目名】０１１１
【補正方法】変更
【補正の内容】
【０１１１】
因みに、システムコントローラ１４０は、手動モード時、アスペクト比変更スイッチ１６９が操作されると、図１７に示すように、９対16及び１対３のアスペクト比が選定されたときには、電荷結合デバイス１６０の受光面１６０Ａにおける有効受光領域の横幅をａに示す所定長さに選定し、３対４のアスペクト比が選定されたときには、有効受光領域の横幅をｂに示す所定長さに選定し、９対16のハーフサイズのアスペクト比が選定されたときには、有効受光領域の横幅をｃに示す所定長さに選定し、３対４のハーフサイズのアスペクト比が選定されたときには、有効受光領域の横幅をｄに示す所定長さに選定する。
【手続補正１８】
【補正対象書類名】明細書
【補正対象項目名】０１１２
【補正方法】変更
【補正の内容】
【０１１２】
また、システムコントローラ１４０は、９対16及び３対４のアスペクト比と、当該９対16及び３対４のハーフサイズのアスペクト比とがそれぞれ選定されたときには、有効受光領域の縦の長さをｅに示す所定長さに選定し、１対３のアスペクト比が選定されたときには、有効受光領域の縦の長さをｆに示す所定長さに選定する。
【手続補正１９】
【補正対象書類名】明細書
【補正対象項目名】０１１３
【補正方法】変更
【補正の内容】
【０１１３】
これに加えて、焼付選択パネル１０７（図１６）には、画像種類変更スイッチ１７１、モニタ画像切換スイッチ（図示せず）、選択画像表示スイッチ１７３、サイズ選択スイッチ１７４及び焼付変更スイッチ１７５が設けられている。
【手続補正２０】
【補正対象書類名】明細書
【補正対象項目名】０１１５
【補正方法】変更
【補正の内容】
【０１１５】
また、システムコントローラ１４０は、モニタ画像切換スイッチが操作されると、その操作に応じて焼付選択パネル１０７から与えられる操作命令に基づいて画像データ処理部１６１を制御することにより、モニタ１０２（図１１）に写真画像又は選択画像のいずれか一方を表示させると共に、選択画像表示スイッチ１７３が操作されると、その操作に応じて焼付選択パネル１０７から与えられる操作命令に基づいて画像データ処理部１６１を制御することにより、モニタ１０２（図１１）に写真画像と共に選択画像を表示させる。
【手続補正２１】
【補正対象書類名】明細書
【補正対象項目名】０１２０
【補正方法】変更
【補正の内容】
【０１２０】
また、システムコントローラ１４０（図１４）は、ＡＰＳネガフィルム１Ａの写真画像から写真画像データを生成し、当該写真画像データに基づくプリント写真を生成させると、ユーザデータと、焼付選択パネル１０７及びリモートコントローラ１６２を介して与えられた各種情報（プリントサイズ、焼付枚数、アスペクト比等）に基づいてラボデータを生成し、これを磁気記録再生回路１８０に送出することにより、当該磁気記録再生回路１８０によりラボデータ用磁気ヘッド１３０を介してＡＰＳネガフィルム１Ａのラボ使用領域７にラボデータを磁気的に記録する。
【手続補正２２】
【補正対象書類名】明細書
【補正対象項目名】０１２６
【補正方法】変更
【補正の内容】
【０１２６】
次いで、画像データ処理部１６１は、リモートコントローラ１６２（図１４）や、焼付選択パネル１０７（図１６）の操作に応じて、システムコントローラ１４０から選択画像表示命令が与えられると、ステップＳＰ２に進み、当該選択画像表示命令に基づいて生成した選択画像データを表示用写真画像データと合成してモニタ１０２に送出することにより、当該モニタ１０２に表示用写真画像データに基づく写真画像１８３に、選択画像データに基づき、例えば焼付条件の変更の実行を確認するための選択画像１８６を重ねて表示させる。
【手続補正２３】
【補正対象書類名】明細書
【補正対象項目名】０１２９
【補正方法】変更
【補正の内容】
【０１２９】
このステップＳＰ３において、画像データ処理部１６１は、リモートコントローラ１６２や、焼付選択パネル１０７の操作に応じて、システムコントローラ１４０から焼付条件の変更内容を示す選択画像表示命令が与えられると、当該選択画像表示命令に基づいて生成した選択画像データを表示用写真画像データと合成してモニタ１０２に送出することにより、当該モニタ１０２に表示用写真画像データに基づく写真画像１８３に、選択画像データに基づき、例えばプリントサイズ１８７及び焼付枚数１８８と、焼付条件の変更内容を確認するための確認部１８９とからなる選択画像１９０を重ねて表示させる。
【手続補正２４】
【補正対象書類名】明細書
【補正対象項目名】０１３０
【補正方法】変更
【補正の内容】
【０１３０】
かくして、画像データ処理部１６１は、モニタ１０２に表示させた選択画像１９０を目視確認させながら、焼付条件を変更させ得るようになされている。
【手続補正２５】
【補正対象書類名】明細書
【補正対象項目名】０１３５
【補正方法】変更
【補正の内容】
【０１３５】
因みに、補正データＤ１は、電荷結合デバイス１６０及びアナログディジタル変換回路間等における変換偏差を補正するためのデータであり、色変換データＤ２は、ポジフィルムとネガフィルムとの間の変換のためのデータであると共に、焼付選択パネル１０７（図１６）の操作に応じた白黒画像とカラー画像とのいずれか一方を選択するためのデータでもある。
【手続補正２６】
【補正対象書類名】明細書
【補正対象項目名】０１４３
【補正方法】変更
【補正の内容】
【０１４３】
また、写真画像取込機１０１においては、モニタ１０２に図１８のステップＳＰ３について上述した写真画像１８３及び選択画像１９０を表示した後、図２１に示すように、モニタ１０２に焼付条件確認用画像データＤ１０に基づいて、焼付条件確認画像２０３を表示させる。この焼付条件確認画像２０３は、ＡＰＳネガフィルム１Ａ１本分の写真画像１８３がサムネイル画像として表示され、各サムネイル画像の下側には、プリント写真のプリントサイズ１８７及び焼付枚数１８８等が表示されている。
【手続補正２７】
【補正対象書類名】明細書
【補正対象項目名】０１５８
【補正方法】変更
【補正の内容】
【０１５８】
因みに、フィルムデータＤ１５と同様にパーソナルコンピュータを介して、ディジタルカメラ（電子カメラ）により被写体を撮影して得られた画像データを送信することもできるが、両データは露光特性がフィルムとＣＣＤ（Charge Coupled Device ）イメージャとで異なった特性となっているため、両データにおいて高精細で高い色再現性を得るには補正量を各々適正としなければならない。
【手続補正２８】
【補正対象書類名】明細書
【補正対象項目名】０１６３
【補正方法】変更
【補正の内容】
【０１６３】
また、受付写真店２２１においては、写真画像焼付装置（以下、これを受付店写真画像焼付装置と呼ぶ）１００Ａにより、そのＡＰＳネガフィルムを用いて図１２〜図２１について上述した焼付処理を実行し、かくしてＡＰＳネガフィルムの写真画像から、図２２及び図２３について上述したプリント写真及びインデックスプリントを生成する。
【手続補正２９】
【補正対象書類名】明細書
【補正対象項目名】０１６９
【補正方法】変更
【補正の内容】
【０１６９】
これに加えて、受付写真店２２１においては、プリント写真の送付を希望するユーザ（以下、これを送付依頼ユーザと呼ぶ）によりプリント写真の送付が依頼されると、当該送付依頼ユーザの持ち込んだＡＰＳネガフィルム（又はＡＰＳフィルム）から受付店写真画像焼付装置１００Ａを用いてフィルムデータＤ１５を生成し、これを受付店パーソナルコンピュータ２２７により受付店側サービスプロバイダ２２３、インターネット２２５及び引渡店側サービスプロバイダ２２４を順次介して、プリント写真の送付相手でなるユーザ（以下、これを写真受取ユーザと呼ぶ）の最寄りの引渡写真店２２２に送信する。
【手続補正３０】
【補正対象書類名】明細書
【補正対象項目名】０１７５
【補正方法】変更
【補正の内容】
【０１７５】
引渡店写真画像焼付装置１００Ｂは、フィルムデータＤ１５の変換写真画像データ及び対応する写真画像ヘッダデータに基づいて、焼付用写真画像データ及びインデックス画像データを生成することにより、当該変換写真画像データに基づく写真画像を、写真画像ヘッダデータに基づいて、受付写真店２２１及び又は送付依頼ユーザに指定された焼付条件を忠実に再現して印画紙に焼き付けたプリント写真及びインデックスプリントを生成し得るようになされている。
【手続補正３１】
【補正対象書類名】明細書
【補正対象項目名】０１８４
【補正方法】変更
【補正の内容】
【０１８４】
これにより、引渡写真店２２２においては、購入希望ユーザにより購入の希望された写真画像をプリント写真にして、当該購入希望ユーザが来店したときに引き渡し、又は郵送により引き渡すようにする。因みに、引渡写真店２２２においては、このときプリント写真に加えてインデックスプリントも生成し、これも購入希望ユーザに引き渡すこともできる。
【手続補正３２】
【補正対象書類名】明細書
【補正対象項目名】０１８８
【補正方法】変更
【補正の内容】
【０１８８】
これにより、金融機関２２６は、受付店側サービスプロバイダ２２３から与えられた課金データＤ２０に基づいてプリント写真の送付又は写真画像の販売に対する課金処理を実行し、かくして、その課金処理の結果に基づき、送付依頼ユーザ、販売依頼ユーザ、購入希望ユーザ、受付写真店２２１、引渡写真店２２２、受付店側サービスプロバイダ２２３及び引渡店側サービスプロバイダ２２４等の各口座間でそれぞれ対応する金銭を電子的に移動させることにより、プリント写真の送付又は写真画像の販売に対して決済処理し、かくして、プリント写真の送付及び写真画像の販売に対する電子商取引を成立させる。
【手続補正３３】
【補正対象書類名】明細書
【補正対象項目名】０１９７
【補正方法】変更
【補正の内容】
【０１９７】
また、受付写真店２５１においては、プリント写真の送付依頼時、ＡＰＳネガフィルム１Ａの各写真画像のうち、送付対象の写真画像と、非送付対象の写真画像とが指定されると、受付店パーソナルコンピュータ２５７により、受付店写真画像焼付装置１００Ａから与えられたフィルムデータＤ１５に、非送付対象の写真画像を不明瞭（ぼやけた印象等）な状態（以下、これをスクランブル状態と呼ぶ）にする不明瞭処理（以下、これをスクランブル処理と呼ぶ）や、非送付対象の写真画像をその全面に渡って白色等にして不可視の状態（以下、これをマスキング状態と呼び、非送付対象の写真画像を他の画像に置換したり、非送付対象の写真画像上に他の画像を重ねて上面の画像を表示することでも実現できる）にする不可視処理（以下、これをマスキング処理と呼ぶ）を施すことにより送付用フィルムデータＤ３０を生成する。なお、スクランブル処理に代えて暗号化処理とすることもできる。
【手続補正３４】
【補正対象書類名】明細書
【補正対象項目名】０２０１
【補正方法】変更
【補正の内容】
【０２０１】
かくして、引渡写真店２５２においては、ＡＰＳネガフィルム１Ａの各写真画像のうち、送付依頼ユーザの指定した送付対象の写真画像のみを可視状態にし、かつ残りの非送付対象の写真画像をスクランブル状態又はマスキング状態にしたインデックスプリントと、当該送付対象の写真画像が印画されたプリント写真を写真受取ユーザに引き渡す。
【手続補正３５】
【補正対象書類名】明細書
【補正対象項目名】０２０５
【補正方法】変更
【補正の内容】
【０２０５】
実際上、図２６に示すように、受付店写真画像焼付装置１００Ａにおいては、図１４について上述したランプ１２２から電荷結合デバイス１６０までの光学系と、その駆動制御系とでなる写真画像取込部２６５によりＡＰＳネガフィルム１Ａの写真画像をフレーム番号の順番で光学的に取り込み、得られた光電信号Ｓ１を画像データ処理部１６１Ａに送出する。
【手続補正３６】
【補正対象書類名】明細書
【補正対象項目名】０２１１
【補正方法】変更
【補正の内容】
【０２１１】
また、システムコントローラ１４０Ａは、受付店パーソナルコンピュータ２５７の所定の回路（図示せず）から受付写真店ＩＤや、受付店側サービスプロバイダＩＤ等の各種情報を含む送信用データＤ３５が与えられており、当該送信用データＤ３５も画像データ処理部１６１Ａに送出する。
【手続補正３７】
【補正対象書類名】明細書
【補正対象項目名】０２３６
【補正方法】変更
【補正の内容】
【０２３６】
かくして、受付店サーバ２５８に格納された送付用フィルムデータＤ４６は、当該受付店サーバ２５８から受付店パーソナルコンピュータ２５７の制御のもとに読み出され、受付店側サービスプロバイダ２５３、送信機２７０、通信衛星２７１、受信機２７２及び引渡店側サービスプロバイダ２５４を順次介して引渡店サーバ２６１に格納されると共に、当該引渡店サーバ２６１から引渡店パーソナルコンピュータ２６０の制御のもとに読み出されて鍵データ抽出部２７３に供給される。
【手続補正３８】
【補正対象書類名】明細書
【補正対象項目名】０２５７
【補正方法】変更
【補正の内容】
【０２５７】
ところで、受付写真店２５１においては、フィルムデータＤ１５のフィルムヘッダデータＤ５２に格納する各種情報と、各写真画像ヘッダデータＤ５１にそれぞれ格納する各種情報とを送付依頼ユーザ及び又は受付写真店２５１により任意に選択することにより、当該フィルムヘッダデータＤ５２及び写真画像ヘッダデータＤ５１に格納する各種情報を少なくすれば、その分、送信するフィルムデータＤ１５のデータ量を低減することができるため、プリント写真の送付手数料を安く設定することができる。
【手続補正３９】
【補正対象書類名】明細書
【補正対象項目名】０２５９
【補正方法】変更
【補正の内容】
【０２５９】
なお、この第１の実施の形態の場合、受付写真店２５１及び引渡写真店２５２は、受付店サーバ２５８及び引渡店サーバ２６１にそれぞれ送付用フィルムデータＤ４５及びＤ４６を格納することにより、当該送付用フィルムデータＤ４５及びＤ４６を送付依頼ユーザ及び写真受取ユーザの要求に応じて自由に読み出して指定先に送信することができると共に、そのとき、電子的に決済処理し、商取引を成立させることができる。
【手続補正４０】
【補正対象書類名】明細書
【補正対象項目名】０２７３
【補正方法】変更
【補正の内容】
【０２７３】
そして、引渡写真店２５２においては、受付写真店３０１から送信された加工フィルムデータＤ５６を引渡店パーソナルコンピュータ２６０によって受信し、当該受信した加工フィルムデータＤ５６を引渡店サーバ２６１に格納すると共に、引渡店写真画像焼付装置１００Ｂに送出する。
【手続補正４１】
【補正対象書類名】明細書
【補正対象項目名】０２７９
【補正方法】変更
【補正の内容】
【０２７９】
引渡写真店２５２においては、受付写真店３０１から送信された広告掲載フィルムデータＤ５８を引渡店パーソナルコンピュータ２６０によって受信し、当該受信した加工フィルムデータＤ５８を引渡店サーバ２６１に格納すると共に、引渡店写真画像焼付装置１００Ｂに送出する。
【手続補正４２】
【補正対象書類名】明細書
【補正対象項目名】０２８８
【補正方法】変更
【補正の内容】
【０２８８】
そして、加工画像データ合成部３１８は、受付店写真画像焼付装置３０２の画像データ処理部１６１Ａから与えられるフィルムデータＤ１５の各変換写真画像データのうち、加工指示データＤ５５に基づいて指示されたフレーム番号の変換写真画像データに、対応する加工画像データＤ６０を合成し、得られた加工フィルムデータＤ５６を広告画像データ合成部３１９に送出する。
【手続補正４３】
【補正対象書類名】明細書
【補正対象項目名】０２８９
【補正方法】変更
【補正の内容】
【０２８９】
一方、広告画像生成部３１７は、予め広告内容を示す文字や画像の広告データＤ６１を保持しており、システムコントローラ３１５から写真画像指定データＤ５７が与えられると、広告データＤ６１に基づいて広告画像データＤ６２を生成し、当該生成した広告画像データＤ６２を写真画像指示データＤ５７と共に広告画像データ合成部３１９に送出する。
【手続補正４４】
【補正対象書類名】明細書
【補正対象項目名】０２９６
【補正方法】変更
【補正の内容】
【０２９６】
また、引渡写真店２５２は、図３３（Ａ）〜（Ｃ）に示すように、引渡店写真画像焼付装置１００Ｂにより広告掲載フィルムデータＤ５８に基づいて、写真画像３２４の下側に広告文字３３５を合成したプリント写真３３６や、写真画像３２４を印画紙の中央からずらし、これに伴い開いた領域に広告文字３３７を合成したプリント写真３３８、さらには、写真画像３３９にフレーム飾り３４０と共に広告文３４１を合成したプリント写真３４２等を生成して写真受取ユーザに引き渡すこともできる。
【手続補正４５】
【補正対象書類名】明細書
【補正対象項目名】０３１６
【補正方法】変更
【補正の内容】
【０３１６】
従って、この写真画像商取引システム３００では、送付依頼ユーザから送付の依頼されたプリント写真により、宣伝依頼会社の広告内容を宣伝してもらうため、当該プリント写真の送付手数料を安くすることができ、送付依頼ユーザに対してプリント写真の送付を依頼し易くすることができる。
【手続補正４６】
【補正対象書類名】明細書
【補正対象項目名】０３２４
【補正方法】変更
【補正の内容】
【０３２４】
受付店パーソナルコンピュータ３６３は、受付店写真画像焼付装置３０２から与えられるフィルムデータＤ１５に対して、必要に応じて加工画像データの合成処理、広告画像データの合成処理、スクランブル処理及び又はマスキング処理を施すことにより販売対象フィルムデータＤ７５を生成すると共に、当該生成した販売対象フィルムデータＤ７５に基づいて、インデックスデータＤ７６を生成し、当該生成したインデックスデータＤ７６を販売対象フィルムデータＤ７５と共に受付店サーバ２５８に格納する。
【手続補正４７】
【補正対象書類名】明細書
【補正対象項目名】０３２５
【補正方法】変更
【補正の内容】
【０３２５】
そして、受付写真店３６２においては、受付店パーソナルコンピュータ３６３により、受付店サーバ２５８に格納しているインデックスデータＤ７６に基づいて、販売対象の写真画像３６５〜３６７をインデックス画像としてインターネット２５５上で公開する。
【手続補正４８】
【補正対象書類名】明細書
【補正対象項目名】０３２６
【補正方法】変更
【補正の内容】
【０３２６】
すなわち、受付写真店３６２においては、ユーザパーソナルコンピュータ３６１からインターネット２５５及び受付店側サービスプロバイダ２５３を順次介して受付店パーソナルコンピュータ３６３にアクセスされると、当該受付店パーソナルコンピュータ３６３により受付店サーバ２５８からインデックスデータＤ７６を読み出し、当該読み出したインデックスデータＤ７６を受付店側サービスプロバイダ２５３及びインターネット２５５を順次介してユーザパーソナルコンピュータ３６１に送信する。
【手続補正４９】
【補正対象書類名】明細書
【補正対象項目名】０３２７
【補正方法】変更
【補正の内容】
【０３２７】
これにより、ユーザパーソナルコンピュータ３６１は、受付写真店３６２から与えられるインデックスデータＤ７６に基づいて、販売対象の写真画像３６５〜３６７をサムネイル表示してなるインデックス画像をモニタに表示させ、かくして、インデックス画像により購入対象の写真画像を選択指定させることができる。
【手続補正５０】
【補正対象書類名】明細書
【補正対象項目名】０３３０
【補正方法】変更
【補正の内容】
【０３３０】
引渡写真店２５２においては、ユーザパーソナルコンピュータ３６１からの購入依頼通知を引渡店パーソナルコンピュータ２６０によって請けると、当該引渡店パーソナルコンピュータ２６０により、その購入依頼通知に応じて受付写真店３６２の受付店パーソナルコンピュータ３６３にアクセスする。
【手続補正５１】
【補正対象書類名】明細書
【補正対象項目名】０３３１
【補正方法】変更
【補正の内容】
【０３３１】
これにより、受付写真店３６２の受付店パーソナルコンピュータ３６３は、購入希望ユーザの購入依頼に基づいて、受付店サーバ２５８から対応する販売対象フィルムデータＤ７５を読み出すと共に、当該読み出した販売対象フィルムデータＤ７５の各変換写真画像データのうち、購入指定された写真画像３６５〜３６７の変換写真画像データ及び対応する写真画像ヘッダデータを有する販売用フィルムデータＤ７７を生成し、これを受付店側サービスプロバイダ２５３、インターネット２５５及び引渡店側サービスプロバイダ２５４を順次介して引渡写真店２５２の引渡店パーソナルコンピュータ２６０に送信する。
【手続補正５２】
【補正対象書類名】明細書
【補正対象項目名】０３３６
【補正方法】変更
【補正の内容】
【０３３６】
また、購入希望ユーザは、ユーザパーソナルコンピュータ３６１に記録媒体又は通信網から販売用フィルムデータＤ７７を取り込めば、当該取り込んだ販売用フィルムデータＤ７７に基づいて得られる写真画像３６５〜３６７（受付店側で指定された焼付条件を忠実に再現するような構図及び画質でなる）を自分のインターネット用のホームページに張り付けて利用したり、又はユーザパーソナルコンピュータ３６１の起動中に表示されるデスク画面の背景画像（壁紙）として利用する等のように、印刷販売形態では決して行うことのできない種々の利用形態を楽しむことができる。
【手続補正５３】
【補正対象書類名】明細書
【補正対象項目名】０３４８
【補正方法】変更
【補正の内容】
【０３４８】
因みに、写真画像ヘッダデータＤ８１の付加制御データ格納部３７１には、これら各種情報のうち、販売依頼ユーザ及び又は受付写真店３６２の指定した少なくとも一部の情報が格納されている。
【手続補正５４】
【補正対象書類名】明細書
【補正対象項目名】０３４９
【補正方法】変更
【補正の内容】
【０３４９】
そして、かかる販売対象フィルムデータＤ７５（図４１）は、鍵データ挿入部２６９から受付店サーバ２５８に加えて、販売データ生成部３７３にも送出されている。
【手続補正５５】
【補正対象書類名】明細書
【補正対象項目名】０３５０
【補正方法】変更
【補正の内容】
【０３５０】
販売データ生成部３７３は、鍵データ挿入部２６９から販売対象フィルムデータＤ７５が与えられると、当該販売対象フィルムデータＤ７５に基づいて、少なくとも変換写真画像データＤ５０及び写真画像ヘッダデータＤ８１を有し、各写真画像と共に、対応するフィルムＩＤ、フレーム番号、販売依頼ユーザ情報及び販売情報等を表示し得るインデックスデータＤ７６を生成し、当該生成したインデックスデータＤ７６を受付店サーバ２５８に格納する。
【手続補正５６】
【補正対象書類名】明細書
【補正対象項目名】０３５２
【補正方法】変更
【補正の内容】
【０３５２】
また、販売データ生成部３７３は、写真画像の販売時、購入希望ユーザによって指定されたフィルムＩＤに基づいて、受付店サーバ２５８から対応する販売対象フィルムデータＤ７５を読み出すと共に、当該読み出した販売対象フィルムデータＤ７５の各変換写真画像データ及び写真画像ヘッダデータのうち、当該購入希望ユーザによって指定されたフレーム番号に基づいて、対応する変換写真画像データ及び写真画像ヘッダデータを選択的に用い、この結果得られるデータ列の先頭に販売対象フィルムデータＤ７５のフィルムヘッダデータを付加し、得られた販売用フィルムデータＤ７７を受付店サーバ２５８に格納する。
【手続補正５７】
【補正対象書類名】明細書
【補正対象項目名】０３５３
【補正方法】変更
【補正の内容】
【０３５３】
因みに、販売データ生成部３７３は、購入希望ユーザにより、販売対象フィルムデータＤ７５の全ての変換写真画像データに基づく写真画像を購入するように指定されたときには、当該販売対象フィルムデータＤ７５を販売用フィルムデータＤ７７として受付店サーバ２５８に格納する。
【手続補正５８】
【補正対象書類名】明細書
【補正対象項目名】０３６３
【補正方法】変更
【補正の内容】
【０３６３】
以上の構成において、この写真画像商取引システム３６０では、受付写真店３６２により、販売依頼ユーザの依頼に応じて、ＡＰＳネガフィルム１Ａの写真画像から変換写真画像データを生成すると共に、当該ＡＰＳネガフィルム１Ａに記録されているユーザデータと、販売依頼ユーザ及び又は受付写真店３６２において指定した焼付条件等とに基づく固有制御データを生成し、当該変換写真画像データ及び固有制御データを有する販売対象フィルムデータＤ７５及びインデックスデータＤ７６を生成する。
【手続補正５９】
【補正対象書類名】明細書
【補正対象項目名】０３６５
【補正方法】変更
【補正の内容】
【０３６５】
また、この写真画像商取引システム３６０では、このとき、購入希望ユーザに販売する写真画像の枚数及びその販売形態に応じた販売手数料を金融機関２５６により電子的に決済処理して電子商取引を成立させる。
【手続補正６０】
【補正対象書類名】明細書
【補正対象項目名】０３８０
【補正方法】変更
【補正の内容】
【０３８０】
実際上、図４５に示すように、送付依頼ユーザのパーソナルコンピュータ４０１は、受付写真店４０３（図４３）から受付店側サービスプロバイダ２５３及びインターネット２５５を順次介して送信された送付用フィルムデータＤ８５を外部のモデムやケーブル等の所定のインターフェイス４２５を介してデコーダ回路４２１に取り込む。
【手続補正６１】
【補正対象書類名】明細書
【補正対象項目名】０３９４
【補正方法】変更
【補正の内容】
【０３９４】
これに加えて、固有制御画像生成部４３６は、焼付タイプ及び焼付枚数等の情報（以下、これらをまとめて注文情報と呼ぶ）の表示を選択するための注文アイコンデータＤ１０５を生成し、これを画像合成切換部４３２に送出すると共に、当該注文情報の表示が要求されると、固有制御データＤ１０２に格納されている注文情報に基づいて、その内容を表示するための文字列及び記号等でなる注文情報画像データＤ１０６を生成し、これを画像合成切換部４３２に送出する。
【手続補正６２】
【補正対象書類名】明細書
【補正対象項目名】０３９５
【補正方法】変更
【補正の内容】
【０３９５】
また、付加制御データ分離部４３０は、フィルムデータ分離部４２６から与えられる写真画像ヘッダデータＤ５１から付加制御データＤ１０７を分離し、これを付加制御画像生成部４３７及び付加データ生成部４３５に送出する。
【手続補正６３】
【補正対象書類名】明細書
【補正対象項目名】０３９７
【補正方法】変更
【補正の内容】
【０３９７】
付加データ生成部４３５は、加工トリミング表示が要求されると、付加制御データＤ１０７に格納されているフレーム飾りデータ及びメッセージデータに基づいて、対応する変換写真画像データＤ５０に合成されていたフレーム飾り及びメッセージの加工画像データＤ９８を生成すると共に、当該付加制御データＤ１０７に格納されている広告データに基づいて対応する変換写真画像データＤ５０に合成されていた広告の広告画像データＤ９９を生成し、これらを写真画像合成部４３４に送出する。
【手続補正６４】
【補正対象書類名】明細書
【補正対象項目名】０３９８
【補正方法】変更
【補正の内容】
【０３９８】
そして、画像合成切換部４３２は、システムコントローラ４２４に表示選択命令が入力される毎にその表示選択命令に応じてヘッダ画像生成部４３１、写真画像合成部４３４、固有制御画像生成部４３６及び付加制御画像生成部４３７から与えられる上述した各種データを合成し、得られた合成画像データＤ１１１を画像表示回路４３８に送出する。
【手続補正６５】
【補正対象書類名】明細書
【補正対象項目名】０３９９
【補正方法】変更
【補正の内容】
【０３９９】
これにより、画像表示回路４３８は、デコーダ回路４２１から与えられる合成画像データＤ１１１に基づいて、送付内容表示データＤ１１２を生成し、これをモニタ４１６に送出することにより、当該モニタ４１６に、送付内容表示データＤ１１２に基づく送付内容表示画面４１７（図４４）を表示させる。
【手続補正６６】
【補正対象書類名】明細書
【補正対象項目名】０４０３
【補正方法】変更
【補正の内容】
【０４０３】
また、送付依頼ユーザのパーソナルコンピュータ４０１においては、受付写真店４０３から鍵データＤ１１３（例えばコード化されたデータである）の提供された送付依頼ユーザによりキーボード４２２を介してその鍵データＤ１１３が入力され、当該入力された鍵データＤ１１３をシステムコントローラ４２４から鍵データ抽出部４３９に送出する。
【手続補正６７】
【補正対象書類名】明細書
【補正対象項目名】０４０９
【補正方法】変更
【補正の内容】
【０４０９】
そして、モニタ４１６（図４５）に表示させた送付内容表示画面４１７においては、マウス４２３（図４５）の操作に応じて各アイコン上にマウスカーソル（図示せず）が移動してクリック操作されると、そのクリック操作に応じてデコーダ回路４２１が上述した一連の処理を実行することにより、当該クリック操作によって選択されたアイコンを色等で選択されたことを示す表示に変えると共に、そのアイコンに対応する情報を表示させるようにして表示内容の切り換えが行われる。
【手続補正６８】
【補正対象書類名】明細書
【補正対象項目名】０４１０
【補正方法】変更
【補正の内容】
【０４１０】
すなわち、デコーダ回路４２１は、モニタ４１６に送付内容表示画面４１７（図４６）を表示させたとき、マウス４２３（図４５）の操作で写真画像一括表示用アイコン４１９Ａが選択されると、画面内の全ての写真画像４１８の画角をそれぞれ対応する一括写真画像データＤ９７に基づき第２及び第３の焼付タイプに応じた画角を示すラインＰ１及びＣ１が合成された第１の焼付タイプの画角に変更する。
【手続補正６９】
【補正対象書類名】明細書
【補正対象項目名】０４１１
【補正方法】変更
【補正の内容】
【０４１１】
また、デコーダ回路４２１は、図４７及び図４８に示すように、マウス４２３（図４５）の操作で写真画像Ｃ表示用アイコン４１９Ｄが選択されると、画面内の全ての写真画像４４５の画角をそれぞれ対応する第２の写真画像データＤ９５に基づく第２の焼付タイプの画角に変更する。
【手続補正７０】
【補正対象書類名】明細書
【補正対象項目名】０４１２
【補正方法】変更
【補正の内容】
【０４１２】
因みに、デコーダ回路４２１は、マウス４２３の操作で写真画像Ｈ表示用アイコン４１９Ｂが選択されると、画面内の全ての写真画像の画角をそれぞれ対応する第１の写真画像データＤ９４に基づく第１の焼付タイプの画角に変更し（図示せず）、また、写真画像Ｐ表示用アイコン４１９Ｃが選択されると、画面内の全ての写真画像４４６の画角をそれぞれ対応する第３の写真画像データＤ９６に基づく第３の焼付タイプの画角に変更する。
【手続補正７１】
【補正対象書類名】明細書
【補正対象項目名】０４１３
【補正方法】変更
【補正の内容】
【０４１３】
そして、デコーダ回路４２１は、マウス４２３の操作で固有制御データ表示用アイコン４１９Ｅが選択されると、各写真画像４４５及び４４６の下側の固有制御データ表示領域４４７にそれぞれ対応する固有制御画像データＤ１０４に基づき固有制御データの内容（焼付条件等）を表示させると共に、付加制御データ表示用アイコン４１９Ｆが選択されると、各写真画像４４５及び４４６の下側の付加制御データ表示領域４４８に付加制御画像データＤ１０９に基づき付加制御データの内容（追加加工内容）を表示させる。
【手続補正７２】
【補正対象書類名】明細書
【補正対象項目名】０４１４
【補正方法】変更
【補正の内容】
【０４１４】
また、デコーダ回路４２１は、マウス４２３の操作で注文番号表示用アイコン４１９Ｈが選択されると、各写真画像４４５及び４４６の下側の注文番号表示領域４４９に注文情報画像データＤ１０６に基づき注文情報（焼付タイプ及び焼付枚数）の内容を表示させると共に、課金情報表示用アイコン４１９Ｊが選択されると、各写真画像４４５及び４４６の下側の課金情報表示領域４５０に課金情報画像データＤ９２に基づき課金情報の内容を表示させる。
【手続補正７３】
【補正対象書類名】明細書
【補正対象項目名】０４１５
【補正方法】変更
【補正の内容】
【０４１５】
さらに、デコーダ回路４２１は、マウス４２３の操作で加工トリミング表示用アイコン４１９Ｇが選択されると、そのとき表示させている画角で対応する写真画像４４６に加工画像データＤ９８に基づくフレーム飾り４５１及びメッセージ４５２を重ねて表示させると共に、対応する写真画像４４６に広告画像データＤ９９に基づく広告（図示せず）を重ねて表示させる。
【手続補正７４】
【補正対象書類名】明細書
【補正対象項目名】０４１６
【補正方法】変更
【補正の内容】
【０４１６】
これに加えて、デコーダ回路４２１は、マウス４２３の操作で写真店情報表示用アイコン４１９Ｉが選択されると、写真店情報表示領域４５３に写真店情報画像データＤ９３に基づき写真店情報の内容を表示させる。
【手続補正７５】
【補正対象書類名】明細書
【補正対象項目名】０４２２
【補正方法】変更
【補正の内容】
【０４２２】
このステップＳＰ１０において、否定結果を得ることは、マスキング処理が施されている変換写真画像データＤ５０と、スクランブル処理が施され、かつそのスクランブル処理を解く（デスクランブル処理）ための鍵データＤ１１３が供給されていない変換写真画像データＤ５０とが存在し、これら変換写真画像データＤ５０に基づく写真画像の絵柄が全く又ははっきりと見えないことを意味し、このとき、デコーダ回路４２１は、これら対応する変換写真画像データＤ５０の処理に対してのみステップＳＰ７に進んで、その写真画像の表示を取り止める。
【手続補正７６】
【補正対象書類名】明細書
【補正対象項目名】０４２３
【補正方法】変更
【補正の内容】
【０４２３】
また、このステップＳＰ１０において、肯定結果を得ることは、マスキング処理が施されていない変換写真画像データＤ５０と、スクランブル処理が施されているものの、そのスクランブル処理を解く（デスクランブル処理）ための鍵データＤ１１３が供給された変換写真画像データＤ５０とが存在し、これら変換写真画像データ（以下、これを特に表示可能写真画像データと呼ぶ）Ｄ５０に基づく写真画像の表示が可能なことを意味し、このとき、デコーダ回路４２１は、表示可能写真画像データＤ５０からこれに合成されている加工画像データ及び広告画像データを分離した後、ステップＳＰ１１及びステップＳＰ１２に同時に進み、当該ステップＳＰ１１において、写真画像の一括表示が要求されることを待ち受け、また、ステップＳＰ１２において、第１〜第３の焼付タイプに応じた画角の写真画像のうちのいずれかの表示が要求されることを待ち受ける。
【手続補正７７】
【補正対象書類名】明細書
【補正対象項目名】０４２７
【補正方法】変更
【補正の内容】
【０４２７】
ところで、デコーダ回路４２１は、このようにステップＳＰ１１又はステップＳＰ１２のいずれか一方にかかる処理を実行しているときには、ステップＳＰ１４において、同時並列的に加工トリミング表示が要求されることを待ち受け、当該表示が要求されるまでは、ステップＳＰ７に進んで、加工画像データＤ９８及び広告画像データＤ９９を生成しないようにする。
【手続補正７８】
【補正対象書類名】明細書
【補正対象項目名】０４２８
【補正方法】変更
【補正の内容】
【０４２８】
そして、デコーダ回路４２１は、このステップＳＰ１４において、加工トリミング表示が要求されると、続くステップＳＰ１５に進んで、付加制御データＤ１０７に格納されているフレーム飾りデータ及び又はメッセージデータに基づいて加工画像データＤ９８を生成すると共に、当該付加制御データＤ１０７に格納されている広告データに基づいて広告画像データＤ９９を生成してステップＳＰ９に進む。
【手続補正７９】
【補正対象書類名】明細書
【補正対象項目名】０４３０
【補正方法】変更
【補正の内容】
【０４３０】
これに対して、このステップＳＰ１６において、デコーダ回路４２１は、固有制御データＤ１０２に注文情報が格納されていると、固有制御データＤ１０２の表示の要求と共に、その注文情報の表示の要求も待ち受け、これら注文情報と、固有制御データＤ１０２との表示が要求されるまでは、ステップＳＰ７に進んで、注文情報画像データＤ１０６と、固有制御画像データＤ１０４とを生成しないようにする。
【手続補正８０】
【補正対象書類名】明細書
【補正対象項目名】０４３３
【補正方法】変更
【補正の内容】
【０４３３】
これに対して、このステップＳＰ１８において、デコーダ回路４２１は、付加制御データＤ１０７に追加加工情報が格納されていると、付加制御データＤ１０７の表示の要求を待ち受け、当該付加制御データＤ１０７の表示が要求されるまでは、ステップＳＰ７に進んで、付加制御画像データＤ１０９を生成しないようにする。
【手続補正８１】
【補正対象書類名】明細書
【補正対象項目名】０４３４
【補正方法】変更
【補正の内容】
【０４３４】
そして、ステップＳＰ１８において、デコーダ回路４２１は、付加制御データＤ１０７の表示が要求されると、続くステップＳＰ１９に進んで、付加制御データＤ１０７に基づいて付加制御画像データＤ１０９を生成してステップＳＰ９に進む。
【手続補正８２】
【補正対象書類名】明細書
【補正対象項目名】０４３６
【補正方法】変更
【補正の内容】
【０４３６】
因みに、デコーダ回路４２１は、フィルムヘッダデータＤ５２を用いる処理と、変換写真画像データＤ５０を用いる処理と、固有制御データＤ１０２を用いる処理と、付加制御データＤ１０７を用いる処理とを同時並列的に実行しているとき、それぞれ対応する処理において、課金アイコンデータＤ９０、写真店アイコンデータＤ９１、表示アイコンデータＤ１００、加工表示アイコンデータＤ１０１、固有アイコンデータＤ１０３、付加アイコンデータＤ１０８、注文アイコンデータＤ１０５をそれぞれ生成し、これらアイコンデータも合成画像データＤ１１１に加えるようにする。
【手続補正８３】
【補正対象書類名】明細書
【補正対象項目名】０４４１
【補正方法】変更
【補正の内容】
【０４４１】
従って、受付写真店４０３においては、送付依頼ユーザの来店の際に、受付店パーソナルコンピュータ４０４により送付内容表示画面４１７をモニタに表示させることにより、当該送付依頼ユーザによって送付の依頼されたプリント写真を実際に焼付処理してみなくても、その送付内容から焼付状態を容易に確認させ得ると共に、確認の結果、送付内容に変更が生じても、その場で容易に処理することができ、かくして、送付内容を迅速かつ確実に再現及び確認させ得るようになされている。
【手続補正８４】
【補正対象書類名】明細書
【補正対象項目名】０４４７
【補正方法】変更
【補正の内容】
【０４４７】
従って、写真画像商取引システム４００では、プリント写真の送付に先立ち、そのプリント写真を実際に焼き付けることなく、受付写真店４０３、引渡写真店４０５、送付依頼ユーザ及び写真受取ユーザに対してそれぞれ送付内容表示画面４１７上でプリント写真を再現してその送付内容を確認させることができ、かくして、プリント写真の送付内容を迅速かつ確実に確認させることができる。
【手続補正８５】
【補正対象書類名】明細書
【補正対象項目名】０４５１
【補正方法】変更
【補正の内容】
【０４５１】
データ配信センタ５０１においては、編成局５３０により複数チャンネル分の番組編成を行い、得られる番組編成リストを地上の専用回線５３１を介して映像制作局５３２、音楽制作局５３３及び配信局５３４に供給している。
【手続補正８６】
【補正対象書類名】明細書
【補正対象項目名】０４５２
【補正方法】変更
【補正の内容】
【０４５２】
映像制作局５３２は、編成局５３０から与えられる番組編成リストに基づいて割り当てられた番組用として、映画等の配信対象の映像コンテンツから映像配信データＤ１５１を生成し、当該生成した映像配信データＤ１５１に複製制限情報、課金情報、カテゴリーコード及び視聴の年齢制限を示すペアレントコード等の各種情報を付加して専用回線５３１を介して編成局５３０に送出する。
【手続補正８７】
【補正対象書類名】明細書
【補正対象項目名】０４５３
【補正方法】変更
【補正の内容】
【０４５３】
また、音楽制作局５３３は、編成局５３０から与えられる番組編成リストに基づいて割り当てられた番組用として、ミュージシャンの歌又は演奏する音楽等の配信対象の音楽コンテンツから音楽配信データＤ１５２を生成し、当該生成した音楽配信データＤ１５２に複製制限情報、課金情報及びカテゴリーコード等の各種情報を付加して専用回線５３１を介して編成局５３０に送出する。
【手続補正８８】
【補正対象書類名】明細書
【補正対象項目名】０４５４
【補正方法】変更
【補正の内容】
【０４５４】
さらに、配信局５３４は、これに接続されたサーバ５３５にテレビジョン放送局（図示せず）で制作された映像データ及び音声データでなる各種番組データＤ１５３を格納しており、編成局５３０から番組編成リストが与えられると、サーバ５３５から番組編成リストに基づいて指定された番組の番組データＤ１５３を読み出し、これを専用回線５３１を介して編成局５３０に送出する。
【手続補正８９】
【補正対象書類名】明細書
【補正対象項目名】０４５５
【補正方法】変更
【補正の内容】
【０４５５】
編成局５３０は、番組編成リストに基づいて、チャンネル毎の放送内容を紹介する番組表等からなる番組情報データを生成しており、映像制作局５３２、音楽制作局５３３及び配信局５３４から映像配信データＤ１５１、音楽配信データＤ１５２及び番組データＤ１５３が与えられると、番組編成リストに基づいて、チャンネル毎の映像配信データＤ１５１、音楽配信データＤ１５２及び番組データＤ１５３と、番組情報データとから放送配信データＤ１５４を生成し、当該生成した複数チャンネル分の放送配信データＤ１５４をデータ送出局５３６に送出する。
【手続補正９０】
【補正対象書類名】明細書
【補正対象項目名】０４５６
【補正方法】変更
【補正の内容】
【０４５６】
データ送出局５３６は、図５１に示すように、編成局５３０から与えられる放送配信データＤ１５４（映像配信データＤ１５１、音楽配信データＤ１５２、番組データＤ１５３及び番組情報データＤ１５５）をチャンネル毎にマルチプレクサ５４０に取り込む。
【手続補正９１】
【補正対象書類名】明細書
【補正対象項目名】０４５７
【補正方法】変更
【補正の内容】
【０４５７】
マルチプレクサ５４０は、編成局５３０から与えられる放送配信データＤ１５４の映像配信データＤ１５１、音楽配信データＤ１５２、番組データＤ１５３及び番組情報データＤ１５５をそれぞれ例えばＭＰＥＧ（Moving Picture Experts Group）方式により圧縮符号化して順次所定単位毎にパケット化し、得られたパケットデータを時分割多重化し、かくして得られた多重化データＤ１５７をランダム化回路５４１に送出する。
【手続補正９２】
【補正対象書類名】明細書
【補正対象項目名】０４６１
【補正方法】変更
【補正の内容】
【０４６１】
これにより、変調回路５４５は、インターリーブ回路５４３から与えられるインターリーブデータＤ１６０を例えばＱＰＳＫ（Quadrature Phase Shift Keying ）方式により変調し、得られた送信データＤ１５０をデータ送出局５３６の出力として衛星放送用アンテナ５１５から放送衛星５１６に向けて送信する。
【手続補正９３】
【補正対象書類名】明細書
【補正対象項目名】０４６２
【補正方法】変更
【補正の内容】
【０４６２】
そして、データ配信センタ５０１（図５０）から放送衛星５１６に向けて送信された送信データＤ１５０は、衛星放送用アンテナ５１９及び５２０を介して各家５１２〜５１４の衛星放送受信装置によって受信される。
【手続補正９４】
【補正対象書類名】明細書
【補正対象項目名】０４６９
【補正方法】変更
【補正の内容】
【０４６９】
ホームサーバ５５２は、ユーザの操作に応じて、各ハードディスクから格納している放送配信データＤ１５４の番組情報データＤ１５５を読み出してこれをモニタ５６５に送出することにより、当該モニタ５６５に番組情報データＤ１５５に基づく番組表を表示させ、かくしてその番組表によりユーザに所望する番組を選択させ得るようになされている。
【手続補正９５】
【補正対象書類名】明細書
【補正対象項目名】０４７１
【補正方法】変更
【補正の内容】
【０４７１】
また、ホームサーバ５５２は、モニタ５６５に番組表を表示させた状態において、ユーザにより所望する映像コンテンツの購入が指定されると、内部のハードディスクから対応する映像配信データＤ１５１を読み出してモニタ５６５に送出することにより、ユーザに所望する映像コンテンツを視聴させ得るようになされている。
【手続補正９６】
【補正対象書類名】明細書
【補正対象項目名】０４７３
【補正方法】変更
【補正の内容】
【０４７３】
これにより、ユーザは、ＩＣカード又はメモリカードを用いる携帯型音楽再生装置（図示せず）を用いて音楽コンテンツを楽しむことができるようになされている。
【手続補正９７】
【補正対象書類名】明細書
【補正対象項目名】０４７４
【補正方法】変更
【補正の内容】
【０４７４】
これに加えて、ホームサーバ５５２は、ユーザにより映像コンテンツ及び音楽コンテンツの購入が指定されたときには、その映像配信データＤ１５１及び音楽配信データＤ１５２に付加されている課金情報を取り出し、当該取り出した課金情報をユーザに予め割り当てられているＩＤ（以下、これをユーザＩＤと呼ぶ）と共に課金データＤ１６５として、当該ホームサーバ５５２に接続されている電話回線５１０又は専用回線５１１を介してノード局５０３に送出する。
【手続補正９８】
【補正対象書類名】明細書
【補正対象項目名】０４７９
【補正方法】変更
【補正の内容】
【０４７９】
かかる構成に加えて、この写真画像商取引システム５００の場合、図５３に示すように、写真店５０７及び５０８においては、図５２について上述した衛星放送受信装置５５０と、専用回線５０４及び５０５に接続されたパーソナルコンピュータ５７０と、写真画像焼付装置５７１とから構成されている。
【手続補正９９】
【補正対象書類名】明細書
【補正対象項目名】０４８１
【補正方法】変更
【補正の内容】
【０４８１】
そして、写真店５０７及び５０８においては、例えば、図４１について上述した受付店パーソナルコンピュータ３６３と同程度の機能を有するパーソナルコンピュータ５７０によりそのフィルムデータＤ１５に基づいて、各写真画像をサムネイル表示させる注文確認データＤ１６６を生成し、当該生成した注文確認データＤ１６６に焼付依頼に対する課金情報と、焼付依頼人のユーザＩＤとを付加して専用回線５０４、５０５及びノード局５０３（図５０）及び専用回線５０２（図５０）を順次介して配信局５３４（図５０）に送出する。
【手続補正１００】
【補正対象書類名】明細書
【補正対象項目名】０４８２
【補正方法】変更
【補正の内容】
【０４８２】
配信局５３４（図５０）は、サーバ５３５に衛星放送受信装置５５０を所有するユーザのユーザＩＤと、当該衛星放送受信装置５５０に予め割り当てられた固有のＩＤ（以下、これを受信装置ＩＤと呼ぶ）とを対応付けて格納しており、写真店５０７及び５０８から注文確認データＤ１６６が与えられると、その注文確認データＤ１６６に付加されているユーザＩＤを取り出す。
【手続補正１０１】
【補正対象書類名】明細書
【補正対象項目名】０４８３
【補正方法】変更
【補正の内容】
【０４８３】
そして、配信局５３４は、サーバ５３５からそのユーザＩＤに対応する受信装置ＩＤを読み出すと共に、当該読み出した受信装置ＩＤを注文確認データＤ１６６に付加し、得られた送信用注文確認データＤ１６７を専用回線５３１を介して編成局５３０に送出する。
【手続補正１０２】
【補正対象書類名】明細書
【補正対象項目名】０４８４
【補正方法】変更
【補正の内容】
【０４８４】
これにより、編成局５３０は、配信局５３４から与えられる送信用注文確認データＤ１６７を複数チャンネル分の放送配信データＤ１５４の一部としてデータ送出局５３６に送出し、かくしてそのデータ送出局５３６から送信用注文確認データＤ１６７を含む送信データＤ１６８を送信させる。
【手続補正１０３】
【補正対象書類名】明細書
【補正対象項目名】０４８５
【補正方法】変更
【補正の内容】
【０４８５】
ここで、衛星放送受信装置５５０（図５２及び図５３）においては、データ受信時、衛星放送受信機５５１のデマルチプレクサ５５９において、多重化データＤ１５７から放送配信データＤ１５４を生成すると、当該放送配信データＤ１５４に受信装置ＩＤが付加されたデータが含まれているか否かを検出し、当該受信装置ＩＤが付加されているデータが含まれているときには、その受信装置ＩＤを自分の家５１２〜５１４の衛星放送受信装置５５０に割り当てられている受信装置ＩＤと比較し、この結果、自分の受信装置ＩＤと一致する受信装置ＩＤの付加されているデータを選択的に取り出してホームサーバ５５２に格納させるようになされている。
【手続補正１０４】
【補正対象書類名】明細書
【補正対象項目名】０４８６
【補正方法】変更
【補正の内容】
【０４８６】
従って、各家５１２〜５１４のうちの写真店５０７及び５０８に写真画像の焼付を依頼したユーザの家５１２〜５１４においては、データ配信センタ５０１から送信された送信データＤ１６８を衛星放送受信機５５１によって受信したときに、当該送信データＤ１６８に含まれている送付用注文確認データＤ１６７を適確に取り出してホームサーバ５５２に格納させ得るようになされている。
【手続補正１０５】
【補正対象書類名】明細書
【補正対象項目名】０４９３
【補正方法】変更
【補正の内容】
【０４９３】
配信局５３４は、サーバ５３５に上述したユーザＩＤ及び受信装置ＩＤと共に、写真店ＩＤと、写真店５０７及び５０８の所有する衛星放送受信装置５５０の受信装置ＩＤも対応させて格納しており、ノード局５０３から注文確認終了データＤ１６９が与えられると、その注文確認終了データＤ１６９に付加されている写真店ＩＤを取り出す。
【手続補正１０６】
【補正対象書類名】明細書
【補正対象項目名】０４９４
【補正方法】変更
【補正の内容】
【０４９４】
そして、配信局５３４は、サーバ５３５からその写真店ＩＤに対応する受信装置ＩＤを読み出すと共に、当該読み出した受信装置ＩＤを注文確認終了データＤ１６９に付加し、得られた送信用注文確認終了データＤ１７０を専用回線５３１を介して編成局５３０に送出する。
【手続補正１０７】
【補正対象書類名】明細書
【補正対象項目名】０４９５
【補正方法】変更
【補正の内容】
【０４９５】
これにより、編成局５３０は、配信局５３４から与えられる送信用注文確認終了データＤ１７０を複数チャンネル分の放送配信データＤ１５４の一部としてデータ送出局５３６に送出し、かくしてそのデータ送出局５３６から送信用注文確認終了データＤ１７０を含む送信データＤ１７１を送信させる。
【手続補正１０８】
【補正対象書類名】明細書
【補正対象項目名】０４９７
【補正方法】変更
【補正の内容】
【０４９７】
これにより、ユーザに写真画像の焼付が依頼された写真店５０７及び５０８（図５３）においては、パーソナルコンピュータ５７０によりホームサーバ５５２に格納された送信用注文確認終了データＤ１７０を読み出し、当該読み出した送信用注文確認終了データＤ１７０に基づくプリント写真注文確認画面５７３（図５４）をモニタ（図示せず）に表示させ、かくして、そのプリント写真注文確認画面５７３に基づいて写真画像の焼付条件を確認することができる。
【手続補正１０９】
【補正対象書類名】明細書
【補正対象項目名】０４９９
【補正方法】変更
【補正の内容】
【０４９９】
また、このとき、写真店５０７及び５０８においては、ユーザにプリント写真及びインデックスプリントを送付すると、課金情報の識別データＤ１７２を専用回線５０４及び５０５を介してノード局５０３に送出する。
【手続補正１１０】
【補正対象書類名】明細書
【補正対象項目名】０５０３
【補正方法】変更
【補正の内容】
【０５０３】
因みに、かかる写真画像商取引システム５００においては、写真画像の焼付依頼のみならずに、写真画像の送付依頼や、写真画像の販売依頼も、その焼付依頼と同様にユーザと、写真店５０７及び５０８と、データ配信センタ５０１とを用いて実行することができる。
【手続補正１１１】
【補正対象書類名】明細書
【補正対象項目名】０５０５
【補正方法】変更
【補正の内容】
【０５０５】
また、ユーザから依頼を受けた写真店５０７及び５０８においては、写真画像の販売が依頼されたとき、販売対象の写真画像を紹介するインデックスデータを生成し、これをデータ配信センタ５０１に送出することにより、当該データ配信センタ５０１を介して販売対象の写真画像を公開することができる。
【手続補正１１２】
【補正対象書類名】明細書
【補正対象項目名】０５０６
【補正方法】変更
【補正の内容】
【０５０６】
そして、ユーザから依頼を受けた写真店５０７及び５０８においては、送付内容や販売内容が確認されると、パーソナルコンピュータ５７０によりフィルムデータＤ１５から送付用フィルムデータや販売用フィルムデータを生成してこれをデータ配信センタ５０１経由で送付相手又は販売相手に最寄りの写真店５０７及び５０８に送信し、当該最寄りの写真店５０７及び５０８から焼付処理して得られたプリント写真及びインデックスプリントを送付相手又は販売相手に郵送させることができる。
【手続補正１１３】
【補正対象書類名】明細書
【補正対象項目名】０５１７
【補正方法】変更
【補正の内容】
【０５１７】
これに加えて、このデータ配信センタ１５０においては、各チャンネルの放送配信データＤ１５４自体のデータ量も、これを構成する映像配信データＤ１５１や音楽配信データＤ１５２等のデータ量の変動に伴って減少することがあり、このように、放送配信データＤ１５４自体のデータ量が減少したときには、やはり対応するチャンネルのデータ割当転送量に余剰が生じる。
【手続補正１１４】
【補正対象書類名】明細書
【補正対象項目名】０５１９
【補正方法】変更
【補正の内容】
【０５１９】
すなわち、データ配信センタ５０１において、編成局５３０は、図５５に示すように、配信局５３４から送信依頼データＤ１７５が与えられると、天候の動向（すなわち、誤り訂正能力に応じた誤り訂正データに必要となるデータ実転送量）と、映像制作局５３２、音楽制作局５３３及び配信局５３４の放送運用計画（すなわち、放送配信データＤ１５４に必要となるデータ実転送量の変動）と、番組編成リストに基づく各チャンネルの放送運用計画（すなわち、空きチャンネルや送信限定チャンネルの有無）とに基づいて、各チャンネルに対するデータ割当転送量の余剰分を検出する。
【手続補正１１５】
【補正対象書類名】明細書
【補正対象項目名】０５２０
【補正方法】変更
【補正の内容】
【０５２０】
そして、編成局５３０は、配信局５３４から与えられる送信依頼データＤ１７５に必要となるデータ実転送量を検出し、当該検出したデータ実転送量を、各チャンネルのデータ割当転送量の余剰分と比較することにより、そのデータ実転送量に見合ったデータ割当転送量の余剰分を有するチャンネルを検出し、かくして、そのチャンネルを利用して送信依頼データＤ１７５を送信する。
【手続補正１１６】
【補正対象書類名】明細書
【補正対象項目名】０５２２
【補正方法】変更
【補正の内容】
【０５２２】
因みに、編成局５３０は、送信依頼データＤ１７５に必要となるデータ実転送量に見合ったデータ割当転送量の余剰分を有するチャンネルが存在しないときには、誤り訂正データに対する誤り訂正能力を比較的低強度にすることにより、チャンネルのデータ割当転送量の余剰分を増加させ、その増加した余剰分を利用して送信依頼データＤ１７５を送信することができる。
【手続補正１１７】
【補正対象書類名】明細書
【補正対象項目名】０５２３
【補正方法】変更
【補正の内容】
【０５２３】
また、送信依頼データＤ１７５においては、番組編成リストに従って送信される放送配信データＤ１５４とは異なり、送信すべき時間が規定されていないため、編成局５３０は、配信局５３４から送信依頼データＤ１７５が与えられても、いずれかのチャンネルにその送信依頼データＤ１７５に必要となるデータ実転送量に見合ったデータ割当転送量に余剰分が生じるまで待つようになされており、これにより、送信依頼データＤ１７５をデータ割当転送量に余剰分が生じたチャンネルをほぼ確実に利用して送信することができる。
【手続補正１１８】
【補正対象書類名】明細書
【補正対象項目名】０５２５
【補正方法】変更
【補正の内容】
【０５２５】
この場合、データ配信センタ５０１において、映像制作局５３２は、映像コンテンツに基づく映像配信データＤ１５１の生成時、その映像コンテンツのタイトルの写真画像や、映像コンテンツの中の任意のシーン、役者の写真画像等から映像サービスデータＤ１７６を生成し、当該生成した映像サービスデータＤ１７６を専用回線５１２を介して配信局５３４に送出してサーバ５３５に格納させると共に、映像配信データＤ１５１と共に専用回線５３１を介して編成局５３０に送出する。
【手続補正１１９】
【補正対象書類名】明細書
【補正対象項目名】０５２６
【補正方法】変更
【補正の内容】
【０５２６】
また、音楽制作局５３３は、音楽コンテンツに基づく音楽配信データＤ１５２の生成時、その音楽コンテンツのタイトルの写真画像や、そのタイトルに合わせたアルバムジャケット等の写真画像、アーティストの写真画像、歌詞の写真画像等から音楽サービスデータＤ１７７を生成し、当該生成した音楽サービスデータＤ１７７を専用回線５１２を介して配信局５３４に送出してサーバ５３５に格納させると共に、音楽配信データＤ１５２と共に専用回線５３１を介して編成局５３０に送出する。
【手続補正１２０】
【補正対象書類名】明細書
【補正対象項目名】０５２７
【補正方法】変更
【補正の内容】
【０５２７】
そして、編成局５３０は、映像制作局５３２及び音楽制作局５３３から与えられる映像サービスデータＤ１７６及び音楽サービスデータＤ１７７を対応する映像コンテンツ及び音楽コンテンツの放送に合わせて又は放送の最後となるように加えた放送配信データＤ１７８を生成し、これをデータ送出局５３６及び衛星放送用アンテナ５１５を順次介して各家５１２〜５１４に送信する。
【手続補正１２１】
【補正対象書類名】明細書
【補正対象項目名】０５３２
【補正方法】変更
【補正の内容】
【０５３２】
ここで、ノード局５０３は、このような映像サービスを一括管理しており、ホームサーバ５５２から映像プリント注文データＤ１７９が与えられると、写真画像の焼き付けを依頼する写真店５０７又は５０８を指定し、当該映像プリント注文データＤ１７９と、焼き付けを依頼する写真店５０７又は５０８の写真店ＩＤから焼付依頼データＤ１８０を生成し、これを専用回線５０２を介して配信局５３４に送出する。
【手続補正１２２】
【補正対象書類名】明細書
【補正対象項目名】０５３３
【補正方法】変更
【補正の内容】
【０５３３】
これにより、配信局５３４は、その焼付依頼データＤ１８０に基づいて、サーバ５３５から対応する映像サービスデータＤ１７６を読み出し、当該読み出した映像サービスデータＤ１７６と、焼付依頼データＤ１８０と、これに付加されたユーザＩＤ及び写真店ＩＤと、その写真店５０７及び５０８の所有する衛星放送受信装置５５０の受信装置ＩＤとから映像プリント焼付データＤ１８１を生成し、これを編成局５３０に送出する。
【手続補正１２３】
【補正対象書類名】明細書
【補正対象項目名】０５３４
【補正方法】変更
【補正の内容】
【０５３４】
そして、編成局５３０は、配信局５３４から与えられる映像プリント焼付データＤ１８１を加えた放送配信データＤ１８２を生成し、これをデータ送出局５３６及び衛星放送用アンテナ５１５を順次介して写真店５０７及び５０８に送信する。
【手続補正１２４】
【補正対象書類名】明細書
【補正対象項目名】０５３８
【補正方法】変更
【補正の内容】
【０５３８】
一方、ホームサーバ５５２（図５２）は、音楽サービスデータＤ１７７を格納したとき、カードスロット５５２ＡにＩＣカード又はメモリカードが装填された状態で、対応する音楽配信データＤ１５２の音楽コンテンツがユーザによって購入されると、ハードディスクから対応する音楽配信データＤ１５２と共に音楽サービスデータＤ１７７を読み出して、これをカードスロット５５２Ａを介してＩＣカード又はメモリカードに記録する。
【手続補正１２５】
【補正対象書類名】明細書
【補正対象項目名】０５３９
【補正方法】変更
【補正の内容】
【０５３９】
そして、図５７に示すように、かかるＩＣカード又はメモリカード（図示せず）が装填される携帯型音楽再生装置５９０においては、ＩＣカード又はメモリカードから読み出した音楽サービスデータＤ１７７に基づいて、タイトル（図示せず）や、歌詞（図示せず）、また、タイトルに合わせた写真画像５９１、さらには、図５８に示すような、タイトル等と共に、音楽コンテンツ固有のアイコンが設けられたアイコン画像５９２等を当該携帯型音楽再生装置５９０（図５７）に設けられた表示部５９３に表示させることができ、かくして、ユーザに音楽コンテンツと共に、当該音楽コンテンツに関係する各種画像も楽しませることができるようになされている。
【手続補正１２６】
【補正対象書類名】明細書
【補正対象項目名】０５４１
【補正方法】変更
【補正の内容】
【０５４１】
ここで、ノード局５０３（図５０）は、このような音楽サービスも一括管理しており、ホームサーバ５５２から音楽コンテンツ及び音楽サービスに対する課金情報が与えられると、その課金情報に基づいて課金処理し、その課金処理結果を銀行５０９に通知することにより、当該銀行５０９において決済処理させ、かくして音楽サービスに対する電子商取引を成立させる。
【手続補正１２７】
【補正対象書類名】明細書
【補正対象項目名】０５４３
【補正方法】変更
【補正の内容】
【０５４３】
これにより、配信局５３４は、その通知に応じてサーバ５３５から対応する音楽サービスデータＤ１７７を読み出し、当該読み出した音楽サービスデータＤ１７７と、ユーザＩＤと、写真店ＩＤと、その写真店５０７及び５０８の所有する衛星放送受信装置５５０の受信装置ＩＤとから音楽プリント焼付データＤ１９０を生成し、これを編成局５３０に送出する。
【手続補正１２８】
【補正対象書類名】明細書
【補正対象項目名】０５４４
【補正方法】変更
【補正の内容】
【０５４４】
そして、編成局５３０は、上述した映像サービスのときと同様に配信局５３４から与えられる音楽プリント焼付データＤ１９０を加えた放送配信データＤ１９１を生成し、これをデータ送出局５３６及び衛星放送用アンテナ５１５を順次介して写真店５０７及び５０８に送信する。
【手続補正１２９】
【補正対象書類名】明細書
【補正対象項目名】０５４５
【補正方法】変更
【補正の内容】
【０５４５】
これにより、指定された写真店５０７又は５０８（図５３）においては、その音楽プリント焼付データＤ１９０を衛星放送受信装置５５０によって受信した後、パーソナルコンピュータ５７０を介して写真画像焼付装置５７１に送出し、当該写真画像焼付装置５７１により音楽プリント焼付データＤ１９０に基づいて、例えば、図５９に示すような、例えばタイトル５９５と共に、そのタイトルに応じた画像５９６が印画された貼付用ラベル５９７を生成し、これを対応するユーザに郵送で引き渡す。
【手続補正１３０】
【補正対象書類名】明細書
【補正対象項目名】０５４６
【補正方法】変更
【補正の内容】
【０５４６】
かくして、ユーザは、音楽サービスデータＤ１７７を購入すると、携帯型音楽再生装置５９０の表示部５９３に画像を表示させて楽しむだけではなく、貼付用ラベル５９７を対応する音楽コンテンツが記録されたＩＣカード又はメモリカード５９８に貼付して、そのＩＣカード又はメモリカード５９８がどのような音楽コンテンツが記録されたものであるのかを容易に識別し得るようにもなる。
【手続補正１３１】
【補正対象書類名】明細書
【補正対象項目名】０５４８
【補正方法】変更
【補正の内容】
【０５４８】
なお、この第５の実施の形態の場合、ホームサーバ５５２（図４２）は、例えば、30〜 100ギガバイト程度の記憶容量を有するものの、データ配信センタ５０１から送信される放送配信データＤ１５４のなかから所望する番組データＤ１５３、映像配信データＤ１５１及び音楽配信データＤ１５２を常時格納することを考えると、好ましくは、１テラバイト以上の記憶容量を有することが望まれる。
【手続補正１３２】
【補正対象書類名】明細書
【補正対象項目名】０５５４
【補正方法】変更
【補正の内容】
【０５５４】
以上の構成において、この写真画像商取引システム５００では、写真店５０７及び５０８が写真画像の焼付依頼を受けると、これに応じて注文確認データＤ１６６を生成し、これを専用回線５０４、５０５、ノード局５０３及び専用回線５０２を順次介してデータ配信センタ５０１に送出し、当該注文確認データＤ１６６をデータ配信センタ５０１から、いずれかのチャンネルに生じたデータ割当転送量の余剰分を利用して対応するユーザの衛星放送受信装置５５０に送信する。
【手続補正１３３】
【補正対象書類名】明細書
【補正対象項目名】０５５５
【補正方法】変更
【補正の内容】
【０５５５】
また、写真画像商取引システム５００では、ユーザへの注文確認データＤ１６６の送信の結果、写真画像の焼付条件の確認が済んでそのユーザの所有する衛星放送受信装置５５０において注文確認終了データＤ１６９が生成されると、当該注文確認終了データＤ１６９を衛星放送受信装置５５０から電話回線５１０又は専用回線５１１、ノード局５０３及び専用回線５０２を順次介してデータ配信センタ５０１に送出し、当該注文確認終了データＤ１６９をデータ配信センタ５０１から、いずれかのチャンネルに生じたデータ割当転送量の余剰分を利用して対応する写真店５０７及び５０８の衛星放送受信装置５５０に送信する。
【手続補正１３４】
【補正対象書類名】明細書
【補正対象項目名】０５５７
【補正方法】変更
【補正の内容】
【０５５７】
従って、写真画像商取引システム５００では、データ配信センタ５０１において、写真店５０７及び５０８と、ユーザとから送信の依頼された送信依頼データＤ１７５をチャンネルに対するデータ割当転送量の余剰分を利用して送信するため、写真画像の焼付に必要な送信依頼データＤ１７５を専用のチャンネルを確保することなく格段的に安い送信料金で送信することができる。
【手続補正１３５】
【補正対象書類名】明細書
【補正対象項目名】０５５８
【補正方法】変更
【補正の内容】
【０５５８】
そして、この写真画像商取引システム５００では、このようにデータ配信センタ５０１において、チャンネルに対するデータ割当転送量の余剰分を利用して送信依頼データＤ１７５を送信するため、新規投資を必要とせずに、既存のシステムを安価に、かつ有効に利用して写真画像を用いた電子商取引を容易に実現することができる。
【手続補正１３６】
【補正対象書類名】明細書
【補正対象項目名】０５５９
【補正方法】変更
【補正の内容】
【０５５９】
また、この写真画像商取引システム５００では、仮に、送付依頼データＤ１７５の送信先までの送信経路を全て電話回線や専用回線にすると、その電話回線５１０や専用回線５０４、５０５及び５１１の転送レートが比較的低いために送信依頼データＤ１７５の送信に時間がかかり、この結果、電話回線５１０や専用回線５０４、５０５及び５１０の回線使用料金が高くなる。
【手続補正１３７】
【補正対象書類名】明細書
【補正対象項目名】０５６０
【補正方法】変更
【補正の内容】
【０５６０】
これに対して、この写真画像商取引システム５００では、送付依頼データＤ１７５の送信先までの送信経路の一部に電話回線５１０や専用回線５０４、５０５及び５１１よりも格段的に転送レートの高い通信回線を利用するため、電話回線５１０や専用回線５０４、５０５及び５１１の回線使用時間を短くして回線使用量を低減させることができると共に、通信経路においても、送信依頼データＤ１７５を高速に送信し得ることによりその回線使用料を格段的に低減させることができる。
【手続補正１３８】
【補正対象書類名】明細書
【補正対象項目名】０５７１
【補正方法】変更
【補正の内容】
【０５７１】
さらに、上述の第４の実施の形態においては、送付依頼ユーザのパーソナルコンピュータ４０１を図４５について上述したように構成するようにした場合について述べたが、本発明はこれに限らず、図４５との対応部分に同一符号を付して示す図６０において、送付依頼ユーザのパーソナルコンピュータ６００に対してスクランブル処理されたフィルムデータが送信されなければ、デコーダ回路６０１で実行されるソフトウェアをデスクランブル処理しないように構成しても良く、これにより、デコーダ回路６０１で実行されるソフトウェアを鍵データの確認処理や、フィルムデータに対するデスクランブル処理の機能を除いて簡易に構成することができる。そして、かかるパーソナルコンピュータ６００の機能を写真受取ユーザのパーソナルコンピュータ４０２と、受付店パーソナルコンピュータ４０４と、引渡店パーソナルコンピュータ４０６とにも持たせるようにしても良い。
【手続補正１３９】
【補正対象書類名】明細書
【補正対象項目名】０５７２
【補正方法】変更
【補正の内容】
【０５７２】
さらに、上述の第１〜第５の実施の形態においては、ランプから得られる光線をＡＰＳネガフィルム１Ａの写真画像の全面に渡って照射し、当該写真画像を透過して得られる写真画像光を電荷結合素子に取り込んで写真画像データを形成するような写真画像焼付装置１００Ａ、３０２及び５７１を用いるようにした場合について述べたが、本発明はこれに限らず、ＡＰＳネガフィルム１Ａの写真画像からラインスキャナタイプの光学系を用いて写真画像データを生成する写真画像焼付装置を適用するようにしても良い。
【手続補正１４０】
【補正対象書類名】明細書
【補正対象項目名】０５８２
【補正方法】変更
【補正の内容】
【０５８２】
【発明の効果】
上述のように本発明によれば、配信装置により配信対象の音楽コンテンツから生成された音楽配信データと、音楽コンテンツに関連する印刷可能な写真画像から生成された音楽サービスデータとを配信し、データ記録装置により当該配信装置によって配信された音楽配信データ及び音楽サービスデータを受信し、当該受信した音楽配信データ及び音楽サービスデータを記録媒体に記録し、携帯型音楽再生装置により当該データ記録装置によって音楽配信データ及び音楽サービスデータが記録された記録媒体から当該音楽配信データを読み出して音楽コンテンツを再生すると共に、記録媒体から音楽サービスデータを読み出して写真画像を表示するようにしたことにより、音楽コンテンツを再生しながら当該音楽コンテンツに関連する写真画像を表示して見せることができ、かくして配信対象の音楽コンテンツと共に当該音楽コンテンツに関係する写真画像を容易に楽しませることができる配信システム、配信装置及び配信方法を実現することができる。
【手続補正１４１】
【補正対象書類名】図面
【補正対象項目名】図１２
【補正方法】変更
【補正の内容】
【図１２】
2001250041.tif 000001
【手続補正１４２】
【補正対象書類名】図面
【補正対象項目名】図２６
【補正方法】変更
【補正の内容】
【図２６】
2001250041.tif 000002
【手続補正１４３】
【補正対象書類名】図面
【補正対象項目名】図３１
【補正方法】変更
【補正の内容】
【図３１】
2001250041.tif 000003
【手続補正１４４】
【補正対象書類名】図面
【補正対象項目名】図３４
【補正方法】変更
【補正の内容】
【図３４】
2001250041.tif 000004
【手続補正１４５】
【補正対象書類名】図面
【補正対象項目名】図３７
【補正方法】変更
【補正の内容】
【図３７】
2001250041.tif 000005
【手続補正１４６】
【補正対象書類名】図面
【補正対象項目名】図３８
【補正方法】変更
【補正の内容】
【図３８】
2001250041.tif 000006
【手続補正１４７】
【補正対象書類名】図面
【補正対象項目名】図４１
【補正方法】変更
【補正の内容】
【図４１】
2001250041.tif 000007
【手続補正１４８】
【補正対象書類名】図面
【補正対象項目名】図４５
【補正方法】変更
【補正の内容】
【図４５】
2001250041.tif 000008
【手続補正１４９】
【補正対象書類名】図面
【補正対象項目名】図４８
【補正方法】変更
【補正の内容】
【図４８】
2001250041.tif 000009
【手続補正１５０】
【補正対象書類名】図面
【補正対象項目名】図５１
【補正方法】変更
【補正の内容】
【図５１】
2001250041.tif 000010
【手続補正１５１】
【補正対象書類名】図面
【補正対象項目名】図５３
【補正方法】変更
【補正の内容】
【図５３】
2001250041.tif 000011
【手続補正１５２】
【補正対象書類名】図面
【補正対象項目名】図６０
【補正方法】変更
【補正の内容】
【図６０】
2001250041.tif 000012